【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
複数の送信ビーム上でネットワークアクセスデバイスによって送信されたビームトレーニングシーケンスを受信するステップと、
前記受信されたビームトレーニングシーケンスに少なくとも部分的に基づいて、前記UEのアンテナサブアレイと前記UEのトランシーバユニット(TXRU)との間で信号を経路指定するための少なくとも1つの構成に対応するマルチ送信ビームの1つまたは複数のセットを識別するステップと、
マルチ送信ビームの前記識別された1つまたは複数のセットの指示を前記ネットワークアクセスデバイスに送信するステップと
を含み、
マルチ送信ビームの前記識別された1つまたは複数のセットの前記指示を前記送信するステップが、前記複数の送信ビームに関連する1つまたは複数の周波数よりも低い周波数に関連するチャネル上で、マルチ送信ビームの前記識別された1つまたは複数のセットの前記指示を前記ネットワークアクセスデバイスに送信するステップを含む、方法。
【請求項２】
マルチ送信ビームの前記1つまたは複数のセットを前記識別するステップが、前記受信されたビームトレーニングシーケンスに少なくとも部分的に基づいて、無線周波数(RF)通信多重化を実現するために使用可能なマルチ送信ビームの第1のセット、RF通信ダイバーシティを実現するために使用可能なマルチ送信ビームの第2のセット、またはそれらの組合せを識別するステップを含む、請求項1に記載の方法。
【請求項３】
マルチ送信ビームの前記識別された1つまたは複数のセットの前記指示が、
マルチ送信ビームの前記識別された1つまたは複数のセットの第1の指示、または
前記UEのアンテナサブアレイと前記UEのTXRUとの間で信号を経路指定するための任意の構成に対応しないマルチ送信ビームの1つまたは複数のセットの第2の指示、または
前記複数の送信ビームの各受信されたビームに対する、ビームを受信するために使用可能な前記UEの1つまたは複数のTXRUのセットの第3の指示、または
前記複数の送信ビームの各受信されたビームに対する、前記ビームを受信するために使用可能な、前記UEの1つまたは複数のTXRUと前記UEの関連する経路指定構成パラメータとのセットの第4の指示、または
それらの組合せ
を少なくとも含む、請求項1に記載の方法。
【請求項４】
マルチ送信ビームの前記1つまたは複数のセットの前記指示によって識別されたマルチ送信ビームのセットに少なくとも部分的に基づいて、前記ネットワークアクセスデバイスとビーム精緻化手順を実行するステップをさらに含む、請求項1に記載の方法。
【請求項５】
マルチ送信ビームの前記1つまたは複数のセットを前記識別するステップが、前記UEの無線周波数(RF)アーキテクチャ、多入力多出力(MIMO)送信モード、前記複数の送信ビームに対する信号強度、またはそれらの組合せに少なくとも部分的に基づいて、マルチ送信ビームの前記1つまたは複数のセットを識別するステップを含む、請求項1に記載の方法。
【請求項６】
ネットワークアクセスデバイスにおけるワイヤレス通信のための方法であって、
複数の送信ビーム上でビームトレーニングシーケンスをユーザ機器(UE)に送信するステップと、
前記UEのアンテナサブアレイと前記UEのトランシーバユニット(TXRU)との間で信号を経路指定するための少なくとも1つの構成に対応するマルチ送信ビームの1つまたは複数のセットの指示を前記UEから受信するステップと、
前記受信された指示に少なくとも部分的に基づいて、前記UEと通信するために使用するためのマルチ送信ビームの前記1つまたは複数のセットのうちのマルチ送信ビームのセットを選択するステップと
を含み、
マルチ送信ビームの識別された1つまたは複数のセットの前記指示を前記受信するステップが、前記複数の送信ビームに関連する1つまたは複数の周波数よりも低い周波数に関連するチャネル上で、マルチ送信ビームの前記識別された1つまたは複数のセットの前記指示を前記UEから受信するステップを含む、方法。
【請求項７】
マルチ送信ビームの前記選択されたセットに少なくとも部分的に基づいて、前記UEとビーム精緻化手順を実行するステップをさらに含む、請求項6に記載の方法。
【請求項８】
ワイヤレス通信のための装置であって、
複数の送信ビーム上でネットワークアクセスデバイスによって送信されたビームトレーニングシーケンスを受信するための手段と、
前記受信されたビームトレーニングシーケンスに少なくとも部分的に基づいて、ユーザ機器(UE)のアンテナサブアレイと前記UEのトランシーバユニット(TXRU)との間で信号を経路指定するための少なくとも1つの構成に対応するマルチ送信ビームの1つまたは複数のセットを識別するための手段と、
マルチ送信ビームの前記識別された1つまたは複数のセットの指示を前記ネットワークアクセスデバイスに送信するための手段と
を備え、
マルチ送信ビームの前記識別された1つまたは複数のセットの前記指示を前記送信するための手段が、前記複数の送信ビームに関連する1つまたは複数の周波数よりも低い周波数に関連するチャネル上で、マルチ送信ビームの前記識別された1つまたは複数のセットの前記指示を前記ネットワークアクセスデバイスに送信するための手段を含む、装置。
【請求項９】
マルチ送信ビームの前記1つまたは複数のセットを前記識別するための手段が、前記受信されたビームトレーニングシーケンスに少なくとも部分的に基づいて、無線周波数(RF)通信多重化を実現するために使用可能なマルチ送信ビームの第1のセット、RF通信ダイバーシティを実現するために使用可能なマルチ送信ビームの第2のセット、またはそれらの組合せを識別するための手段を備える、請求項8に記載の装置。
【請求項１０】
マルチ送信ビームの前記識別された1つまたは複数のセットの前記指示が、
マルチ送信ビームの前記識別された1つまたは複数のセットの第1の指示、または
前記装置のアンテナサブアレイと前記装置のTXRUとの間で信号を経路指定するための任意の構成に対応しないマルチ送信ビームの1つまたは複数のセットの第2の指示、または
前記複数の送信ビームの各受信されたビームに対する、ビームを受信するために使用可能な前記装置の1つまたは複数のTXRUのセットの第3の指示、または
前記複数の送信ビームの各受信されたビームに対する、前記ビームを受信するために使用可能な、前記装置の1つまたは複数のTXRUと前記装置の関連する経路指定構成パラメータとのセットの第4の指示、または
それらの組合せ
を少なくとも含む、請求項8に記載の装置。
【請求項１１】
マルチ送信ビームの前記1つまたは複数のセットの前記指示によって識別されたマルチ送信ビームのセットに少なくとも部分的に基づいて、前記ネットワークアクセスデバイスとビーム精緻化手順を実行するための手段をさらに含む、請求項8に記載の装置。
【請求項１２】
マルチ送信ビームの前記1つまたは複数のセットを前記識別するための手段が、前記UEの無線周波数(RF)アーキテクチャ、多入力多出力(MIMO)送信モード、前記複数の送信ビームに対する信号強度、またはそれらの組合せに少なくとも部分的に基づいて、マルチ送信ビームの前記1つまたは複数のセットを識別するための手段を含む、請求項8に記載の装置。
【請求項１３】
ワイヤレス通信のための装置であって、
複数の送信ビーム上でビームトレーニングシーケンスをユーザ機器(UE)に送信するための手段と、
前記UEのアンテナサブアレイと前記UEのトランシーバユニット(TXRU)との間で信号を経路指定するための少なくとも1つの構成に対応するマルチ送信ビームの1つまたは複数のセットの指示を前記UEから受信するための手段と、
前記受信された指示に少なくとも部分的に基づいて、前記UEと通信するために使用するためのマルチ送信ビームの前記1つまたは複数のセットのうちのマルチ送信ビームのセットを選択するための手段と
を備え、
マルチ送信ビームの識別された1つまたは複数のセットの前記指示を前記受信するための手段が、前記複数の送信ビームに関連する1つまたは複数の周波数よりも低い周波数に関連するチャネル上で、マルチ送信ビームの前記識別された1つまたは複数のセットの前記指示を前記UEから受信するための手段を含む、装置。
【請求項１４】
マルチ送信ビームの前記選択されたセットに少なくとも部分的に基づいて、前記UEとビーム精緻化手順を実行するための手段をさらに含む、請求項13に記載の装置。
【請求項１５】
実行時に請求項１〜７のいずれか一項に記載の方法を少なくとも1つのコンピュータに実施させるための実行可能な命令を備えるコンピュータプログラム。